(57)【要約】【課題】デジタル画像処理を用いた疑似赤外撮影においても正しい露出制御を行うことができると共に、現在の撮影モードが疑似赤外撮影モードであることを容易にユーザに認識させることができるカメラを提供する。【解決手段】第２の撮影モードである疑似赤外撮影モードにおいては、撮像素子１０５で取得した被写体撮像信号の中から赤（Ｒ）信号が信号切替回路１０８ｅによって選択されて（ステップＳ６）、積分回路１０８ｆにおいて積分される（ステップＳ７）。そして、この積分値に基づいてＣＰＵ１１２において露出演算が行われる（ステップＳ８）。【選択図】      図４
2005051593.tif 000002
【特許請求の範囲】
【請求項１】
少なくとも赤成分に感度を有する白黒フィルムと濃赤色光学フィルタアクセサリの装着とを組み合わせた疑似赤外効果撮影によって得られる写真と実質的に同等の撮影効果を有する疑似赤外画像を、上記濃赤色光学フィルタアクセサリを装着せずに生成可能な疑似赤外画像生成手段と、
カラー画像を撮影可能なカラー撮影モードとモノクロ画像を撮影可能なモノクロ撮影モードとのうち少なくとも何れか一方の撮影モードを含む第１の撮影モードと、上記疑似赤外画像生成手段を用いて疑似赤外画像を撮影可能な撮影モードである第２の撮影モードとを切り替える切替手段と、
この切替手段によって上記撮影モードが上記第２の撮影モードに切り替えられた際に、露出制御の対象となる信号成分を切り替える信号切替手段と、
を具備することを特徴とするカメラ。
【請求項２】
上記信号切替手段は、上記第２の撮影モードの際には上記露出制御の対象となる信号成分を加法混色の３原色ＲＧＢのうちの赤成分に切り替えることを特徴とする請求項１に記載のカメラ。
【請求項３】
被写体を撮像して被写体撮像信号を取得する撮像手段と、
この撮像手段から出力された被写体撮像信号の各色信号から、少なくとも輝度信号を生成するマトリクス手段と、
少なくとも赤成分に感度を有する白黒フィルムと濃赤色光学フィルタアクセサリの装着とを組み合わせた疑似赤外効果撮影によって得られる写真と実質的に同等の撮影効果を有する疑似赤外画像を、上記濃赤色光学フィルタアクセサリを装着せずに生成可能な疑似赤外画像生成手段と、
上記疑似赤外画像生成手段によって上記疑似赤外画像を生成する際の、上記露出制御の対象となる信号を上記マトリクス手段で生成した上記輝度信号として露出制御を行う露出制御手段と、
を具備することを特徴とするカメラ。
【請求項４】
少なくとも赤成分に感度を有する白黒フィルムと濃赤色光学フィルタアクセサリの装着とを組み合わせた疑似赤外効果撮影によって得られる写真と実質的に同等の撮影効果を有する疑似赤外画像を、上記濃赤色光学フィルタアクセサリを装着せずに生成可能な疑似赤外画像生成手段と、
当該カメラの撮影モードとして、カラー画像を撮影可能なカラー撮影モードとモノクロ画像を撮影可能なモノクロ撮影モードとのうち少なくとも何れか一方の撮影モードを含む第１の撮影モードと、上記疑似赤外画像生成手段を用いて疑似赤外画像を撮影可能な撮影モードである第２の撮影モードとを切り替える切替手段と、
上記第１の撮影モードと上記第２の撮影モードとで異なる電子ファインダ表示を行うことが可能な画像表示手段と、
を具備し、
上記画像表示手段は、上記切替手段によって撮影モードが上記第２の撮影モードに切り替えられた際に、電子ファインダ表示の色を、上記第１の撮影モードにおける電子ファインダ表示の色に対して識別可能なレベル以上に赤にシフトして電子ファインダ表示を行うことを特徴とするカメラ。
【請求項５】
上記画像表示手段は、上記切替手段によって撮影モードが上記第２の撮影モードに切り替えられた際に、赤の単色表示で電子ファインダ表示を行うことを特徴とする請求項４に記載のカメラ。
【請求項６】
上記画像表示手段は、記録画像の再生動作時には色を変えずに画像表示を行うことを特徴とする請求項４又は５に記載のカメラ。
【請求項７】
上記疑似赤外画像生成手段は、デジタル画像処理によって上記疑似赤外画像を生成するように構成されてなることを特徴とする請求項１、３、４の何れか１つに記載のカメラ。
【発明の詳細な説明】
【技術分野】
【０００１】
本発明は、画像処理技術を用いて擬似的な赤外写真を撮影することが可能なカメラに関し、特にこのようなカメラの露出制御及び画像表示に関する。
【背景技術】
【０００２】
従来、低照度や暗黒条件下などにおける写真撮影に赤外撮影という技術が用いられることがある。この赤外撮影は、言うまでも無くカメラに入射してきた光の中の赤外成分に感度を有するモノクロフィルム（赤外フィルム）を使用して撮影を行う撮影技術である。これにより、低照度や暗黒条件下でも被写体を撮影することができる。
【０００３】
また、このような赤外撮影は遠距離風景の撮影にも用いられる。この場合は単に赤外成分を使用するのみではなく、可視光中の短波長成分を除去する濃赤色の光学フィルタを併用する。一般に短波長光は、空気中の微粒子によって散乱しやすく、この散乱によって遠距離の風景ほど、かすんで見えるようになる。このような効果を空気透視効果と呼ぶが、赤外撮影においては、上記フィルタを使用することで可視光域以下の短波長成分が除去されるので、このような空気透視効果による影響を除去して撮影を行うことができる。
【０００４】
このような空気透視効果の除去を、赤外撮影よりも安価・簡便に行う手法が非特許文献１で示されている。これは、可視光領域全域に亘って（従って赤色領域にも）感度を有する汎用のモノクロフィルム（パンクロマティックモノクロフィルム：パンクロ）と入射光の中から短波長成分を除去する濃赤色光学フィルタとを組み合わせて撮影を行うものである（以下、このような撮影手法を疑似赤外撮影と称する）。擬似赤外撮影によれば、赤外フィルムなどの特殊なフィルムを用いることなく、赤外撮影と類似の遠方までくっきりと澄みわたった、コントラストの高いモノクロ画像を得ることができる。
【０００５】
このような疑似赤外撮影の手法をデジタルカメラに応用する場合には、デジタル画像処理を用いて、簡易に疑似赤外撮影で得られた写真と同等の効果を有するデジタル画像を生成するような技術が考えられる。この場合には、デジタルカメラで得られた色信号のうち、例えば赤成分（Ｒ）の信号のみを用いて輝度信号を生成する。このような画像処理により、画像を生成すれば、濃赤色光学フィルタを用いる必要がない。
【非特許文献１】日本写真映像用品工業会 発行／カタログ「 '９７写真・映像用品ショー」（第１９０ページ）
【発明の開示】
【発明が解決しようとする課題】
【０００６】
しかしながら、デジタル画像処理を用いた疑似赤外撮影のようにＲ信号のみで輝度信号を生成する場合において、従来と同じ露出制御を行うと、正しく露出制御を行うことができない場合がある。即ち、従来の露出制御は、デジタルカメラで得られた色信号のうち、緑（Ｇ）成分の信号を基準にして露出制御を行うので、輝度信号をＲ信号成分のみで生成する場合等には正しい露出制御を行うことができない。
【０００７】
また、疑似赤外撮影を用いて生成した画像をそのままの状態で電子ファインダ（ＥＶＦ）表示した場合には、モノクロ（白黒）画像で表示される。このため、ユーザが通常のモノクロ撮影モードと疑似赤外撮影モードとを区別することが困難である。
【０００８】
本発明は、上記の事情に鑑みてなされたもので、デジタル画像処理を用いた疑似赤外撮影においても正しい露出制御を行うことができると共に、現在の撮影モードが疑似赤外撮影モードであることを容易にユーザに認識させることができるカメラを提供することを目的とする。
【課題を解決するための手段】
【０００９】
上記の目的を達成するために、本発明の第１の態様によるカメラは、少なくとも赤成分に感度を有する白黒フィルムと濃赤色光学フィルタアクセサリの装着とを組み合わせた疑似赤外効果撮影によって得られる写真と実質的に同等の撮影効果を有する疑似赤外画像を、上記濃赤色光学フィルタアクセサリを装着せずに生成可能な疑似赤外画像生成手段と、カラー画像を撮影可能なカラー撮影モードとモノクロ画像を撮影可能なモノクロ撮影モードとのうち少なくとも何れか一方の撮影モードを含む第１の撮影モードと、上記疑似赤外画像生成手段を用いて疑似赤外画像を撮影可能な撮影モードである第２の撮影モードとを切り替える切替手段と、この切替手段によって上記撮影モードが上記第２の撮影モードに切り替えられた際に、露出制御の対象となる信号成分を切り替える信号切替手段とを具備する。
【００１０】
この第１の態様によれば、疑似赤外撮影時に露出制御の対象となる信号成分を切り替えるので、正しい露出制御を行うことが可能である。
【００１１】
また、上記の目的を達成するために、本発明の第２の態様によるカメラは、第１の態様において、上記信号切替手段は、上記第２の撮影モードの際には上記露出制御の対象となる信号成分を加法混色の３原色ＲＧＢのうちの赤成分に切り替える。
【００１２】
この第２の態様によれば、疑似赤外撮影時には、赤成分の信号を用いて露出制御を行うことにより、正しい露出制御を行うことが可能である。
【００１３】
また、上記の目的を達成するために、本発明の第３の態様によるカメラは、被写体を撮像して被写体撮像信号を取得する撮像手段と、この撮像手段から出力された被写体撮像信号の各色信号から、少なくとも輝度信号を生成するマトリクス手段と、少なくとも赤成分に感度を有する白黒フィルムと濃赤色光学フィルタアクセサリの装着とを組み合わせた疑似赤外効果撮影によって得られる写真と実質的に同等の撮影効果を有する疑似赤外画像を、上記濃赤色光学フィルタアクセサリを装着せずに生成可能な疑似赤外画像生成手段と、上記疑似赤外画像生成手段によって上記疑似赤外画像を生成する際の、上記露出制御の対象となる信号を上記マトリクス手段で生成した上記輝度信号として露出制御を行う露出制御手段を具備する。
【００１４】
この第３の態様によれば、信号の切り替えを行わずに正しい露出制御を行うことが可能である。
【００１５】
また、上記の目的を達成するために、本発明の第４の態様によるカメラは、少なくとも赤成分に感度を有する白黒フィルムと濃赤色光学フィルタアクセサリの装着とを組み合わせた疑似赤外効果撮影によって得られる写真と実質的に同等の撮影効果を有する疑似赤外画像を、上記濃赤色光学フィルタアクセサリを装着せずに生成可能な疑似赤外画像生成手段と、当該カメラの撮影モードとして、カラー画像を撮影可能なカラー撮影モードとモノクロ画像を撮影可能なモノクロ撮影モードとのうち少なくとも何れか一方の撮影モードを含む第１の撮影モードと、上記疑似赤外画像生成手段を用いて疑似赤外画像を撮影可能な撮影モードである第２の撮影モードとを切り替える切替手段と、上記第１の撮影モードと上記第２の撮影モードとで異なる電子ファインダ表示を行うことが可能な画像表示手段とを具備し、上記画像表示手段は、上記切替手段によって撮影モードが上記第２の撮影モードに切り替えられた際に、電子ファインダ表示の色を、上記第１の撮影モードにおける電子ファインダ表示の色に対して識別可能なレベル以上に赤にシフトして電子ファインダ表示を行う。
【００１６】
この第４の態様によれば、疑似赤外撮影モード時には、通常と異なる電子ファインダ表示を行うことにより、撮影者に現在の撮影モードが疑似赤外撮影モードであることを認識させやすい。
【００１７】
また、上記の目的を達成するために、本発明の第５の態様によるカメラは、第４の態様において、上記画像表示手段は、上記切替手段によって撮影モードが上記第２の撮影モードに切り替えられた際に、赤の単色表示で電子ファインダ表示を行う。
【００１８】
この第５の態様によれば、疑似赤外撮影モード時には、赤の単色表示で電子ファインダ表示を行うことにより、あたかも濃赤色光学フィルタを装着した場合のような表示を行うことができる。
【００１９】
また、上記の目的を達成するために、本発明の第６の態様によるカメラは、第４又は第５の態様において、上記画像表示手段は、記録画像の再生動作時には色を変えずに画像表示を行う。
【００２０】
この第６の態様によれば、記録画像の再生動作時に色を変えずに画像表示を行うことにより、記録画像を正しく再生表示することができる。
【００２１】
また、上記の目的を達成するために、本発明の第７の態様によるカメラは、第１、第３、又は第４の態様において、上記疑似赤外画像生成手段は、デジタル画像処理によって上記疑似赤外画像を生成するように構成されてなる。
【００２２】
この第７の態様によれば、デジタル画像処理を用いて露出制御又は表示制御を行うことが可能である。
【発明の効果】
【００２３】
本発明によれば、デジタル画像処理を用いた疑似赤外撮影においても正しい露出制御を行うことができると共に、現在の撮影モードが疑似赤外撮影モードであることを容易にユーザに認識させることができるカメラを提供することができる。
【発明を実施するための最良の形態】
【００２４】
本発明は、撮影モードが疑似赤外撮影を行うことが可能なモード（以下、疑似赤外撮影モードと称する）の場合には、通常の場合とは異なる信号成分を用いて露出制御を行う。また、本発明は、撮影モードが疑似赤外撮影モードの場合には、通常の場合とは異なるファインダ表示を行う。
【００２５】
以下、本発明の実施例を図面を参照して説明する。  
［実施例１］
図１は、本発明の実施例１に係るカメラの内部構成を示すブロック図である。即ち、このカメラは、撮像レンズ系１０１と、レンズ駆動機構１０２と、露出制御機構１０３と、フィルタ系１０４と、撮像素子１０５と、撮像素子ドライバ１０６と、前処理回路１０７と、デジタル処理回路１０８と、カードインターフェイス（ＩＦ）１０９と、記録部１１０と、画像表示部１１１と、システムコントローラ（ＣＰＵ）１１２と、操作スイッチ部１１３と、操作状態表示部１１４と、ストロボ部１１５と、レンズドライバ１１６と、露出制御ドライバ１１７と、ＥＥＰＲＯＭ１１８とから構成されている。
【００２６】
撮像レンズ系１０１は、各種レンズから構成されるレンズ系であり、図示しない被写体からの像（以下、被写体像）を露出制御機構１０３及びフィルタ系１０４を介して撮像素子１０５に結像させる。レンズ駆動機構１０２は、撮像レンズ系１０１を駆動するための駆動機構である。ここで、レンズ駆動機構１０２は、レンズドライバ１１６によって駆動制御される。
【００２７】
露出制御機構１０３は、撮像素子１０５の露出量を制御するための機構であり、絞り及びシャッタとそれらを駆動するための駆動装置（例えばモータ等）とから構成されている。ここで、露出制御機構１０３は、露出制御ドライバ１１７によって制御される。また、フィルタ系１０４は、ローパスフィルタ及び赤外カット用のフィルタ等から構成されており、入射した被写体像の高周波成分及び赤外光成分を除去する。
【００２８】
撮像素子１０５は、被写体像を光電変換して被写体撮像信号を取得するためのカラー撮像手段である。ここでは、撮像素子として例えば縦型オーバーフロードレイン構造を有するインターライン転送方式のプログレッシブ（順次）走査型のＣＣＤを用いるが、これに限るものではないことは言うまでもない。この撮像素子１０５は、撮像素子ドライバ１０６によって駆動制御される。
【００２９】
即ち、撮像レンズ系１０１を介して入射した図示しない被写体からの光束は、露出制御機構１０３において、その入射量が制御される。更に、露出制御機構１０３を通過した光束は、フィルタ系１０４において高周波成分や赤外光成分が除去されて撮像素子１０５に結像する。撮像素子１０５では、結像した被写体像が光電変換されて電気信号となり（以下、被写体撮像信号と称する）、この被写体撮像信号が前処理回路１０７に出力される。
【００３０】
前処理回路１０７は、ゲインコントロールアンプやアナログ/デジタル（Ａ/Ｄ）変換器等を含む処理回路である。即ち、撮像素子１０５から入力されてきた被写体撮像信号は、前処理回路１０７においてデジタル化された後、デジタル処理回路１０８に出力される。
【００３１】
デジタル処理回路１０８は、色信号生成処理、ホワイトバランス調整処理、マトリクス変換処理、及びその他の各種デジタル処理を行ってカラー画像データを生成するための処理回路である。即ち、前処理回路１０７から入力されてきたデジタル化された被写体撮像信号は、デジタル処理回路１０８において処理される。これによってカラー画像データが生成される。このカラー画像データは、カードＩＦ１０９を介して記録部１１０に出力される。
【００３２】
記録部１１０は、例えばメモリカード等から構成される記録媒体であり、デジタル処理回路１０８から入力されてきたカラー画像データが格納される。また、画像表示部１１１は、例えばＬＣＤモニタとその表示制御回路等から構成されており、デジタル処理回路１０８から入力されてきたカラー画像データに基づいて画像表示が行われる。即ち、この画像表示部１１１は、撮影前には電子ファインダ（ＥＶＦ）として機能する。即ち、この電子ファインダ表示においては、画像表示部１１１に、撮像素子１０５によって取得された画像がリアルタイム表示される。また、画像表示部１１１は、撮影結果の確認用や記録部１１０に記録された画像再生用のモニタとしても機能する。
【００３３】
システムコントローラ（ＣＰＵ）１１２は、カメラ全体の制御を統括的に行うための中央制御回路である。
【００３４】
操作スイッチ部１１３は、カメラ外部に設けられた操作ボタンに連動してＯＮ/ＯＦＦする各種スイッチである。この操作ボタンには、例えば図２に示すレリーズボタン１１３ａや撮影モード切り替え用操作部材（以下、切替ボタンと称する）１１３ｂ等が含まれる。ここで、レリーズボタン１１３ａは、カメラに一連の撮像シーケンスを指示するためのボタンであり、また、切替ボタン１１３ｂは、カメラの撮影モードを第１の撮影モード（カラー撮影モード及びモノクロ撮影モードの少なくとも一方の撮影モード）と第２の撮影モード（疑似赤外撮影モード）との間で切り替えるための操作部材である。ここで、カラー撮影モードは通常のカラー画像を撮影するための撮影モードであり、モノクロ撮影モードはモノクロ画像を撮影するための撮影モードであり、疑似赤外撮影モードは疑似赤外画像を撮影するための撮影モードである。また、これら操作スイッチ部１１３の状態や撮影モード等の情報は、操作状態表示部１１４に表示される。
【００３５】
ストロボ部１１５は、撮影時の補助光照射等に用いられる発光部である。このストロボ部１１５は、露出制御ドライバ１１７によって制御される。
【００３６】
ＥＥＰＲＯＭ１１８は、カメラの各種設定情報等を記憶させておくための不揮発性メモリである。
【００３７】
このような構成のカメラにおいては、システムコントローラ（ＣＰＵ）１１２が、カメラ全体の制御を統括的に行う。即ち、ＣＰＵ１１２は、露出制御ドライバ１１７を制御することにより露出制御機構１０３に含まれるシャッタ装置を駆動制御すると共に、撮像素子ドライバ１０６を制御することにより撮像素子１０５を駆動制御して、撮像素子１０５の露出（電荷蓄積）及び蓄積された信号の読み出しを制御する。また、撮影シーケンス時においては、撮像素子１０５から読み出した被写体撮像信号を、前処理回路１０７を介してデジタル処理回路１０８に取り込んで各種信号処理を施した後、カードＩＦ１０９を介して記録部１１０に記録させる。
【００３８】
次に、疑似赤外画像生成手段を含むデジタル処理回路１０８内の構成について図３を参照して更に詳しく説明する。即ち、このデジタル処理回路１０８内部には、色信号生成回路１０８ａと、ホワイトバランス調整回路１０８ｂと、マトリクス回路１０８ｃと、後段処理回路１０８ｄと、信号切替回路１０８ｅと、積分回路１０８ｆと、表示用信号処理回路１０８ｇとが含まれている。
【００３９】
前処理回路１０７の出力は、まず、色信号生成回路１０８ａに入力される。この色信号生成回路１０８ａでは、前処理回路１０７から入力されたデジタル化された被写体撮像信号から加法混色の３原色であるＲＧＢ信号が生成される。
【００４０】
この色信号生成回路１０８ａで生成された色信号のうち、Ｒ信号とＧ信号が信号切替回路１０８ｅに出力される。信号切替回路１０８ｅは、露出制御時の積分に使用する色信号を選択的に切り替えるための切替回路である。即ち、この信号切替回路１０８ｅによって選択された色信号が積分回路１０８ｆに出力され、積分回路１０８ｆによって積分される。この積分結果は、ＣＰＵ１１２に出力され、この結果に基づいて、ＣＰＵ１１２によって露出演算が行われる。
【００４１】
また、色信号生成回路１０８ａで生成された色信号は、ホワイトバランス調整回路１０８ｂにも入力される。ホワイトバランス調整回路１０８ｂでは、予め設定されたホワイトバランスモード（例えば晴天モード、曇天モード、オートモード等）に従ってＲＧＢ信号のそれぞれのゲインが調整される。ここで、一般のホワイトバランス調整においては、Ｇゲインを固定しておき、Ｒゲイン及びＢゲインが調整される形態が多いが、本実施例１もこれと同様とする。このようなホワイトバランス調整によって白色被写体に対するＲＧＢの比率が等しくなる。
【００４２】
ホワイトバランス調整の後、マトリクス回路１０８ｃにおいて、所定のマトリクス係数を用いて輝度信号Ｙ並びに色差信号（Ｒ−Ｙ）及び（Ｂ−Ｙ）からなる輝度色差コンポーネント信号が生成される。
【００４３】
ここで、カラー撮影モードでは、輝度色差マトリクスが、標準のマトリクス係数（例えばＮＴＳＣ方式或いはＩＴＵ  Ｒｅｃ６０１相当）を用いた、
Ｙ＝０.３Ｒ＋０.５９Ｇ＋０.１１Ｂ                        （式１）
Ｒ−Ｙ＝０.７Ｒ−０.５９Ｇ−０.１１Ｂ                    （式２）
Ｂ−Ｙ＝０.８９Ｂ−０.３Ｒ−０.５９Ｇ                    （式３）
となる。また、モノクロ撮影モードでは、上記（式２）及び（式３）において、色差信号（Ｒ−Ｙ）と（Ｂ−Ｙ）が０となる。
【００４４】
一方、疑似赤外撮影モードでは、輝度信号ＹをＲ信号を主成分として生成するので、輝度色差マトリクスが、
Ｙ＝Ｒ                                                  （式４）
Ｒ−Ｙ＝０                                              （式５）
Ｂ−Ｙ＝０                                              （式６）
となる。
【００４５】
このようにして、コンポーネント信号を生成した後、後段処理回路１０８ｄにおいて、例えば標準的な画像信号に調整するためのγ変換処理、クリッピング処理や、デジタルカメラ標準の記録フォーマットであるＥｘｉｆ形式のファイルとして記録するためのＪＰＥＧ圧縮等の各種信号処理が行われる。なお、図３では、カラー画像処理以後の処理回路は、本実施例１の本質ではないので、「後段処理回路」として１つのブロックで図示している。
【００４６】
ここで、電子ファインダ表示時や撮影終了時、及び記録画像の再生時には、画像表示部１１１に撮像素子１０５で取得した画像が表示される。このような画像表示を行うために、後段処理回路１０８ｄにおいて生成された画像データが、表示用信号処理回路１０８ｇに出力され、この表示用信号処理回路１０８ｇにおいて、色マトリクス演算処理により表示用ＲＧＢ信号が生成される。この生成された表示用ＲＧＢ信号に基づいて画像表示部１１１に画像表示が行われる。
【００４７】
即ち、カラー撮影モードにおいては、色マトリクスが、（式１）〜（式３）で示す輝度色差マトリクスの逆マトリクス、即ち、
Ｒ＝Ｙ＋（Ｒ−Ｙ）                                          （式７）
Ｇ＝Ｙ−（１/０.５９）｛０.３（Ｒ−Ｙ）＋０.１１（Ｂ−Ｙ）   （式８）
Ｂ＝Ｙ＋（Ｂ−Ｙ）                                          （式９）
となる。一方、疑似赤外撮影モードにおいては、色マトリクスが、（式４）〜（式６）で示す輝度色差マトリクスの逆マトリクス、即ち、
Ｒ＝Ｙ                                                      （式１０）
Ｇ＝０                                                      （式１１）
Ｂ＝０                                                      （式１２）
となる。
【００４８】
以上のようにして、生成された表示用ＲＧＢ信号に基づいて画像表示部１１１に画像表示が行われる。
【００４９】
次に、このようなカメラにおける露出制御時及びファインダ画像表示時の制御について図４のフローチャートを参照して説明する。この図４においては、カメラの撮影モードが疑似赤外撮影モードであるか否かに応じて異なる露出制御及び表示制御が行われる。
【００５０】
露出制御が開始すると、ＣＰＵ１１２は、まず、切替ボタン１１３ｂの操作に連動してＯＮ/ＯＦＦするスイッチの状態を判定して、現在の撮影モードが疑似赤外撮影モードであるか否かを判定する（ステップＳ１）。なお、撮影モードは、例えば切替ボタン１１３ｂの押圧操作の度に切り替わるようにしておけばよい。また、切替ボタン１１３ｂは、図２のような「ボタン」の形状をしていなくともよく、ダイアル等の操作部材であってもよい。
【００５１】
ステップＳ１の判定において、現在のモードが疑似赤外撮影モードではない第１の撮影モードであると判定した場合に、ＣＰＵ１１２は、Ｇ信号を積分回路１０８ｆに出力するように信号切替回路１０８ｅに指令を送る（ステップＳ２）。
【００５２】
即ち、第１の撮影モードでは、撮像素子出力を用いた従来の一般的な露出制御を採用している。この一般的な露出制御は、撮像素子１０５からのＲＧＢ点順次信号または色信号生成後におけるＧ信号をデジタル積分回路で積分することによって行う。このようにして露出制御を行うのは、後段の各種ゲイン調整やγ処理などを受ける前のほうが、撮像素子における露出状態を直接的に把握することができて制御上有利なためである。また、露出制御の制御対象となる信号にＧ信号を用いるのは、標準輝度信号の主成分であり、かつ撮像素子内で最も飽和しやすい信号成分であるためであり、また多くの場合ホワイトバランス処理においてＧ信号が基準に採用されていることから制御が容易であるという現実的事情からでもある。
【００５３】
ステップＳ２において、信号切替回路１０８ｅからＧ信号を出力させた後、積分回路１０８ｆによってＧ信号を積分する（ステップＳ３）。このときの積分値、即ち撮影対象領域の平均輝度レベルが露出量を示すので、この露出量と露出量検出時の露出パラメータ（絞り値や露出時間）の値から、ＣＰＵ１１２は、図示しない被写体の輝度レベルを求め、更に各種演算を行うことで適正露出条件を演算する（ステップＳ４）。そして、ＣＰＵ１１２は、絞りやシャッタ等の条件を適正露出条件に設定した状態で、上記（式７）〜（式９）に示す色マトリクスに基づいて、画像表示部１１にカラー画像表示を行う（ステップＳ５）。このような制御により、画像表示部１１には、カラー画像による電子ファインダ表示が行われる。ここで、モノクロ撮影モードの場合には、（式２）及び（式３）を共に０として色マトリクスを適用すればよい。
【００５４】
一方、ステップＳ１の判定において、現在のモードが第２の撮影モードとしての疑似赤外撮影モードであると判定した場合に、ＣＰＵ１１２は、Ｒ信号を積分回路１０８ｆに出力するように信号切替回路１０８ｅに指令を送る（ステップＳ６）。
【００５５】
このように疑似赤外撮影モードにおいて、露出制御の対象となる信号をＧ信号からＲ信号に切り替えなければ、積分される信号がＧ信号となる。一方、画像信号（輝度信号）にはＲ信号成分が用いられるので、被写体の色合いや照明等の条件によっては、露出レベルの不具合、例えば、緑の木々を撮影すると露出アンダーに、夕焼けを撮影すると露出オーバーになってしまうような不具合が生じてしまう。このような不具合を避けるために、本実施例１では、疑似赤外撮影モード時に露出制御の対象となる信号をＧ信号からＲ信号に切り替えている。
【００５６】
ステップＳ６において、信号切替回路１０８ｅからＲ信号を出力させた後、積分回路１０８ｆによってＲ信号を積分する（ステップＳ７）。次に、ＣＰＵ１１２は、このＲ信号の積分値等に基づいて適正露出条件を演算する（ステップＳ８）。そして、ＣＰＵ１１２は、絞りやシャッタ等の条件を適正露出条件に設定した状態で、上記（式１０）〜（式１２）に示す色マトリクスに基づいて、画像表示部１１にカラー画像表示を行う（ステップＳ９）。このような制御により、画像表示部１１には、赤いモノクロ画像による電子ファインダ表示が行われる。
【００５７】
このような表示を行うことにより、ファインダ表示としては、あたかも光学式ファインダにおいてレンズに濃赤色光学フィルタを装着したかのように見えるので、現在の撮影モードが疑似赤外撮影モードであることをユーザに認識させやすい。
【００５８】
なお、ステップＳ９では赤いモノクロ画像を表示させているが、記録時における画像の色は通常のモノクロ（白黒）となる。このため、撮影終了後の確認用画像表示や記録後の画像の再生も赤いモノクロ表示で行うと、記録された画像があたかも赤い画像であるかのように見えてしまい使用者に誤解を招くという不具合が生じてしまう。したがって、撮影終了後の確認用画像表示や記録後の画像の再生は、通常のモノクロ表示で行う。
【００５９】
また、疑似赤外撮影モードにおいては、電子ファインダ表示の際にＬＣＤのＧ，Ｂの画素を使用しないので解像度が低下してしまう。そこで、電子ファインダ表示の際に、多少Ｇ，Ｂの画素も使用するようにして、例えば、
Ｒ＝Ｙ                                                      （式１０）
Ｇ＝０.３                                                   （式１３）
Ｂ＝０.３                                                   （式１４）
という色マトリクスを使用するようにしてもよい。なお、（式１３）及び（式１４）の係数はあくまでも一例であり、これに限るものではない。
【００６０】
以上説明したように、本実施例１によれば、疑似赤外撮影モード時には、露出制御の対象となる信号を通常のＧ信号からＲ信号に切り替えることで、疑似赤外撮影モード時にも露出の不具合が生じない。
【００６１】
また、疑似赤外撮影モード時には、赤いモノクロ表示による電子ファインダ表示を行うので、現在の撮影モードが疑似赤外撮影モードであることをユーザに認識させやすい。
【００６２】
［実施例２］
次に、本発明の実施例２について説明する。この実施例２は、撮影モードに応じて露出制御の対象となる信号を切り替える必要がない例である。
【００６３】
図５は、実施例２におけるデジタル処理回路１０８内の構成について示したブロック図である。即ち、本実施例２は、積分回路１０８ｆの入力を色信号ではなく輝度信号Ｙとした点が実施例１と異なる。このため、信号切替回路１０８ｅを省略することができる。このように輝度信号Ｙのレベルに基づいて露出制御を行うことにより、疑似赤外撮影モードにおいても輝度信号Ｙ＝Ｒ信号のレベルに基づいて露出制御を行うことができるので、上述したような露出の不具合が生じない。
【００６４】
このときの制御を図６のフローチャートに示す。即ち、露出制御開始後、マトリクス回路１０８ｃで生成されたコンポーネント信号のうち、輝度信号Ｙを抽出して積分回路１０８ｆに入力する（ステップＳ１１）。積分回路１０８ｆは、入力された輝度信号Ｙを積分する（ステップＳ１２）。次に、ＣＰＵ１１２は、この輝度信号Ｙの積分値等に基づいて適正露出条件を演算する（ステップＳ１３）。
【００６５】
次に、ＣＰＵ１１２は、現在の撮影モードが疑似赤外撮影モードであるか否かを判定し（ステップＳ１４）、この判定の結果に基づいて画像表示部１１１に赤のモノクロ画像表示（ステップＳ１５）又はカラー画像表示（ステップＳ１６）を行う。
【００６６】
以上説明したように、本実施例２によれば露出制御の対象となる信号成分を輝度信号Ｙとしたので、撮影モードに応じて露出制御の対象となる信号を切り替える必要がない。
【００６７】
以上実施例に基づいて本発明を説明したが、本発明は上記した実施例に限定されるものではなく、本発明の要旨の範囲内で種々の変形や応用が可能なことは勿論である。
【００６８】
さらに、上記した実施例には種々の段階の発明が含まれており、開示される複数の構成要件の適当な組合せにより種々の発明が抽出され得る。例えば、実施例に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６９】
【図１】本発明の実施例１に係るカメラの内部構成を示すブロック図である。
【図２】カメラの外観斜視図である。
【図３】本発明の実施例１のデジタル信号処理回路の内部構成を示すブロック図である。
【図４】本発明の実施例１に係るカメラの露出及び表示制御のフローチャートである。
【図５】本発明の実施例２のデジタル信号処理回路の内部構成を示すブロック図である。
【図６】本発明の実施例２に係るカメラの露出及び表示制御のフローチャートである。
【符号の説明】
【００７０】
１０１…撮像レンズ系、１０２…レンズ駆動機構、１０３…露出制御機構、１０４…フィルタ系、１０５…撮像素子、１０６…撮像素子ドライバ、１０７…前処理回路、１０８…デジタル処理回路、１０８ａ…色信号生成回路、１０８ｂ…ホワイトバランス調整回路、１０８ｃ…マトリクス回路、１０８ｄ…後段処理回路、１０８ｅ…信号切替回路、１０８ｆ…積分回路、１０８ｇ…表示用信号処理回路、１０９…カードインターフェイス（ＩＦ）、１１０…記録部、１１１…画像表示部、１１２…システムコントローラ（ＣＰＵ）、１１３…操作スイッチ部、１１３ａ…レリーズボタン、１１３ｂ…撮影モード切り替え用操作部材（切替ボタン）、１１４…操作状態表示部、１１５…ストロボ部、１１６…レンズドライバ、１１７…露出制御ドライバ、１１８…ＥＥＰＲＯＭ
【図１】
2005051593.tif 000003
【図２】
2005051593.tif 000004
【図３】
2005051593.tif 000005
【図４】
2005051593.tif 000006
【図５】
2005051593.tif 000007
【図６】
2005051593.tif 000008